(57)【要約】【課題】構造が簡単で、体裁がよく、しかも種々の内装に適応する建具を提供する。【解決手段】建物の室内外を連通する開口部に取付けられる樹脂製枠体２と、この樹脂製枠体２とは異なる色彩または模様を有するカバー部材３とからなり、樹脂製枠体２は、当該樹脂製枠体２における室内側端部において、樹脂製枠体２の枠内側向きに突出し、かつ樹脂製枠体２を構成する枠材６、７、８、９の長手方向に延びる室内側突条片１２を備えるとともに、カバー部材３をもって、室内側突条片１２の少なくとも室内側表面を覆うようにした建具とする。【選択図】  図２
2013087565.tif 000002
【特許請求の範囲】
【請求項１】
建物の室内外を連通する開口部に取付けられる樹脂製枠体と、この樹脂製枠体とは異なる色彩または模様を有するカバー部材とからなり、樹脂製枠体は、当該樹脂製枠体における室内側端部において、樹脂製枠体の枠内側向きに突出し、かつ樹脂製枠体を構成する枠材の長手方向に延びる室内側突条片を備えるとともに、カバー部材をもって、前記室内側突条片の少なくとも室内側表面を覆うようにしたことを特徴とする建具。
【請求項２】
樹脂製枠体と、この樹脂製枠体とは異なる色彩または模様を有する複数種類のカバー部材とからなり、所望のカバー部材を選択的に樹脂製枠体に取付け得るようにしたことを特徴とする請求項１記載の建具。
【請求項３】
色彩または模様が異なる複数種類の樹脂製枠体と、これらいずれの樹脂製枠体とも異なる色彩または模様を有する複数種類のカバー部材とからなり、所望の樹脂製枠体とカバー部材とを選択して、樹脂製枠体にカバーを取付け得るようにしたことを特徴とする請求項１または２記載の建具。
【請求項４】
カバー部材を、その長手方向に対する垂直断面形状をアングル状となし、カバー部材の一端を樹脂製枠体の室内側突条片の頂部に係合するとともに、他端を樹脂製枠体に設けた係止溝に係止することにより、カバー部材を樹脂製枠体に取付けるようにしたことを特徴とする請求項１〜３のいずれかに記載の建具。
【請求項５】
樹脂製枠体を建物の開口部に取付けるための樹脂製枠体の室内側端部の外周面端に設けられた室内側に延びる横取付片の基部または室内側突条片の室内側表面に、樹脂製枠体を構成する枠材の長手方向に沿って係止溝を設け、この係止溝にカバー部材の一端を弾性的に係止させるようにしたことを特徴とする請求項４記載の建具。
【請求項６】
カバー部材に、室内側に延びる額縁取付片または横取付片カバー部を設けた請求項１〜５のいずれかに記載の建具。
【請求項７】
樹脂製枠体とカバー部材の両者をもって、窓枠を構成する請求項１〜６のいずれかに記載の建具。
【発明の詳細な説明】
【技術分野】
【０００１】
本発明は、住宅や事務所等の建物の開口部に取付けられる樹脂製枠体を有する建具に関する。
【背景技術】
【０００２】
この種の建具としては、室内外を連通する建物の開口部に取付けられる四方枠組みされた枠体と、枠体に取付けられた挾持材と、枠体の室内側に設けられる四方枠組みされた額縁とを有し、枠体に当接した額縁を、挾持材により挾持することにより、枠体と額縁との境界部分にビスが露出しない美観に優れているものが知られている(例えば特許文献１)。
また、室内外を連通する建物の開口部に取付けられる四方枠組みされた枠体と、この枠体の室内側に設けられる四方枠組みされた額縁とを有し、この額縁の表面側に当接される枠材に中間部材を溶着した場合に、この溶着部分を室内側のカバーをもって覆うものが知られている(例えば特許文献２)。
【先行技術文献】
【特許文献】
【０００３】
【特許文献１】特開２０１０−５３６５８号公報
【特許文献２】特開２０１０−１９６３５９号公報
【発明の概要】
【発明が解決しようとする課題】
【０００４】
しかし、上記のような従来の建具は、防火性能が優れた金属製の枠体または断熱性および防音性に優れた樹脂製の枠体を、一体的に四方枠組されており、室内側と室外側との色彩または模様が同一であるため、顧客の希望する種々の内装に対して、色彩または模様の点で充分に対応し難いという問題が存在していた。
この問題を解消するために、室内側と室外側との色彩または模様を異なる複数の枠体を製作することが考えられるが、枠体の種類が増大し、大幅なコスト高となるため現実的ではない。
【０００５】
本発明は、上記問題点に鑑みてなされたもので、色彩や模様の観点から種々の内装に適応しうるとともに、構造が簡単で、体裁がよく、かつ製作費の低減を図ることができる建具を提供することを目的としている。
【課題を解決するための手段】
【０００６】
上記課題は、次のような構成からなる発明によって解決される。
（１）建物の室内外を連通する開口部に取付けられる樹脂製枠体と、この樹脂製枠体とは異なる色彩または模様を有するカバー部材とからなり、樹脂製枠体は、当該樹脂製枠体における室内側端部において、樹脂製枠体の枠内側向きに突出し、かつ樹脂製枠体を構成する枠材の長手方向に延びる室内側突条片を備えるとともに、カバー部材をもって、前記室内側突条片の少なくとも室内側表面を覆うようにする。
【０００７】
(２)上記(１)項において、樹脂製枠体と、この樹脂製枠体とは異なる色彩または模様を有する複数種類のカバー部材とからなり、所望のカバー部材を選択的に樹脂製枠体に取付け得るようにする。
【０００８】
(３)上記(１)または(２)項において、色彩または模様が異なる複数種類の樹脂製枠体と、これらいずれの樹脂製枠体とも異なる色彩または模様を有する複数種類のカバー部材とからなり、所望の樹脂製枠体とカバー部材とを選択して、樹脂製枠体にカバーを取付け得るようにする。
【０００９】
(４)上記(１)〜(２)項のいずれかにおいて、カバー部材を、その長手方向に対する垂直断面形状をアングル状となし、カバー部材の一端を樹脂製枠体の室内側突条片の頂部に係合するとともに、他端を樹脂製枠体に設けた係止溝に係止することにより、カバー部材を樹脂製枠体に取付けるようにする。
【００１０】
(５)上記(４)項において、樹脂製枠体を建物の開口部に取付けるための樹脂製枠体の室内側端部の外周面端に設けられた室内側に延びる横取付片の基部または室内側突条片の室内側表面に、樹脂製枠体を構成する枠材の長手方向に沿って係止溝を設け、この係止溝にカバー部材の一端を弾性的に係止させるようにする。
【００１１】
(６)上記(１)〜(５)項のいずれかにおいて、カバー部材に、室内側に延びる額縁取付片または横取付片カバー部を設ける。
【００１２】
(７)上記(１)〜(６)項のいずれかにおいて、樹脂製枠体とカバー部材の両者をもって、窓枠を構成する。
【発明の効果】
【００１３】
本発明によると、次のような効果を奏することができる。
請求項１記載の発明によれば、樹脂製枠体の色彩または模様にとらわれず、顧客の所望する色彩または模様を有するカバー部材を選択することにより、建物の内装と合致する美観に優れた建具を提供することができる。
さらに、カバー部材は、樹脂製枠体に対して、いわゆる小物であり、複数種類の色彩または模様の異なる樹脂製枠体を製作する場合に対比して、複数種類の色彩または模様の異なるカバー部材は安価に製作することができるため、窓枠等の建具の製作費を大幅に低減することができる。
【００１４】
請求項２記載の発明によれば、所望のカバー部材を選択的に樹脂製枠体に取付け得るようにするため、例えば樹脂製枠体を共通部材とし、複数種類のカバー部材の中から建物における内装に合致する所望のカバー部材を選択することができる。
【００１５】
請求項３記載の発明によれば、カバー部材の選択とともに、このカバー部材の色彩または模様に適合する樹脂製枠体を選択することができる。すなわち、より一層種々の建物の外観および内装に適合する建具を提供することができる。
【００１６】
請求項４記載の発明によれば、カバー部材を、がた付きなく確実に樹脂製枠体に固定することができる。
【００１７】
請求項５記載の発明によれば、係止溝の存在を目立たないようにして、カバー部材を見栄えよく、かつ弾性を利用してがた付きなく確実に樹脂製枠体へ固定することができる。
【００１８】
請求項６記載の発明によれば、額縁取付片または横取付片カバー部が覆う部分の色彩または模様を、樹脂製枠体の室内側突条片を覆うカバー部材の部分と連続したものとすることができる。
【００１９】
請求項７記載の発明によれば、樹脂製枠体とカバー部材の両者をもって、建物の内装に合致する美観の優れた窓枠を提供することができる。
【図面の簡単な説明】
【００２０】
【図１】本発明を適用した窓枠と、この窓枠内に配設した障子を室内側から見た正面図である。
【図２】図１のII−II線における縦断面図である。
【図３】図１のIII−III線における横断面図である。
【図４】図２における波線円ＩＶ内の要部を拡大し、樹脂製枠体とカバー部材の第１実施形態を示す図である。
【図５】同じく、第２実施形態を示す図である。
【図６】同じく、第３実施形態を示す図である。
【図７】同じく、第４実施形態を示す図である。
【図８】同じく、第５実施形態を示す図である。
【図９】同じく、第６実施形態を示す図である。
【発明を実施するための形態】
【００２１】
以下、本発明の実施の形態を、図面に基づいて説明する。本実施形態では、本発明の建具を窓枠として構成し、この窓枠に引き違い障子を配設した場合を例示するが、例えば嵌殺し窓の窓枠等にも適用される。
【００２２】
本発明に係る建具である窓枠１は、図１〜図３に示すように、建物の室内外を連通する開口部に取付けられる樹脂製枠体２と、この樹脂製枠体２の室内側Ａに取付けられ、樹脂製枠体２とは異なる色彩または模様を有するカバー部材３とより構成され、窓枠１内には引き違い障子４が配設されている。
【００２３】
樹脂製枠体２は、例えば合成樹脂製の上枠材６、下枠材７、左右の縦枠材８、９等の枠材の両端を４５度にカットし、溶着により、方形に枠組することにより形成されている。
【００２４】
上枠材６および下枠材７には、障子用レールが長手方向に沿って設けらるとともに、上枠材６、下枠材７、左右の縦枠８、９には、窓枠１を建物躯体５に取付けるための外周側に延びる縦取付片１０と室内側に延びる横取付片１１が設けられている。
【００２５】
樹脂製枠体２には、該樹脂製枠体２における室内側端部において、樹脂製枠体２の枠内側向きに突出し、かつ樹脂製枠体２を構成する枠材の長手方向に延びる室内側突条片１２が、枠内全周に亘って設けられている。
【００２６】
図２における波線円ＩＶ内の要部を拡大して、樹脂製枠体とカバー部材の実施形態を例示する図４に示すように、室内側突条片１２は、樹脂製枠体２とは異なる色彩または模様を有するカバー部材３をもって、室内側表面が覆われている。樹脂製枠体２は、例えば白色に近い塩化ビニール樹脂の色、または黒色、灰色等の暗色系の色彩または模様のものが通常用いられる。一方、カバー部材３は、和室、洋室等の種々の内装に適応しうるように、共通部材としての樹脂製枠体２とは異なる色彩または模様を有する複数種類のものを用意し、これらのうちから所望のものを選択することができるようになっている。
【００２７】
たとえば、樹脂製枠体２が暗色系の色彩を有するものであっても、カバー部材３を選択することにより、室内の内装に合致する明るい色彩や木目調や大理石等のデザインを含む種々の内装に適合させることができる。
【００２８】
さらに、樹脂製枠体２についても、色彩または模様が異なる複数種類の樹脂製枠体２を用意し、かつこれらいずれの樹脂製枠体２とも異なる色彩または模様を有する複数種類のカバー部材３を用意することにより、本発明の効果が優れて良好に発揮される。
たとえば、色彩または模様が異なる４種類の樹脂製枠体２と、これらいずれの樹脂製枠体２とも異なる色彩または模様を有するカバー部材３を用意し、これらを適宜組み合わせることにより、色彩または模様が異なる１２種類の窓枠を提供することができる。これは、カバー部材３を備えることのない色彩または模様が異なる１２種類の窓枠２を製作する場合に比較して、製作費の大幅な低減を図ることができる。
【００２９】
カバー部材３は、その長手方向に対する垂直断面形状をアングル状に加工してある。ここで、アングル状とは、カバー部材３の長手方向に対する垂直断面形状として、図４〜図９に例示するような基本的骨格としての形態が、略Ｊ字状もしくは略逆Ｊ字状、または略Ｕ字状もしくは略逆Ｕ字状であるものを含む。
図４に示すカバー部材３は、略逆Ｊ字状をなし、一端に設けられた係合部３ａが樹脂製枠体２の室内側突条片１２の頂部１２ａに係合されるとともに、他端に設けられた係止部３ｂが樹脂製枠体２に設けられた係止溝２ａに係止されることにより、室内側突条片１２の室内側表面を覆うようにして、樹脂製枠体２に取付けられている。
【００３０】
係止溝２ａは、樹脂製枠体２を建物の開口部に取付けられるための樹脂製枠体２の室内側端面に設けられた室内側に延びる横取付片１１の基部に、樹脂製枠体２を構成する下枠材７の長手方向に沿って設けられ、この係止溝２ａにカバー部材３の係止部３ｂが弾性的に係止されている。
弾性的に係止されることにより、カバー部材３を、樹脂製枠体２に着脱可能に簡単に取付けることができる。
【００３１】
着脱可能とすることにより、建物の内装がリホームされた場合、既設の枠材３を建物躯体５に取り付けた状態で、新たなカバー部材３に取り替えることにより、窓枠１を内装に合致させることができる。
【００３２】
図５に示すカバー部材１４は、前記カバー部材３と同様に、一端に係合部１４ａ、他端に係止部１４ｂを有し、同様にして樹脂製枠体２に取付けられているが、このカバー部材１４には、室内側Ａに延びる額縁取付片１４ｃが設けられている。この額縁取付片１４ｃと、樹脂製枠体２を建物躯体５に取付けるための横取付片１１との間に、額縁(図示略)を挾持して額縁を取付けることにより、額縁取付片１４ｃが額縁の内周面を覆い、この部分の色彩または模様を樹脂製枠体２の室内側突条片１２を覆うカバー部材１４の部分と連続したものとすることができる。
【００３３】
図６に示すカバー部材１５は、一端に係合部１５ａ、他端に係止部１５ｂと横取付片カバー部１５ｃとを有する。この横取付片カバー部１５ｃを設けることにより、樹脂製枠体２の横取付片１１の室内側表面を横取付片カバー部１５ｃが覆い、この部分の色彩または模様を樹脂製枠体２の室内側突条片１２を覆うカバー部材１５の部分と連続したものとすることができる。
【００３４】
図７に示すカバー部材１６は、額縁取付片１６ｃと横取付片カバー部１６ｄの両者を有するものである。１６ａは係合部、１６ｂは係止部を示す。
【００３５】
図８に示すカバー部材１７は、一端に係合部１７ａ、他端近傍に波状係止部１７ｂを有する。この波状係止部１７ｂは、樹脂製枠体１８の室内側突条片１８ａにおける室内側表面の横取付片１８ｄの近傍に設けられた波状係止溝１８ｃに係止され、同時に係合部１７ａが室内側突条片１８ａの頂部１８ｂに係合されることにより、カバー部材１７が樹脂製枠体１８に取付けられる。
【００３６】
図９に示すカバー部材１９は、略逆Ｕ字状をなし、一端に係合部１９ａ、他端に第１係止部１９ｂを有するとともに、前記一端のアングルを形成する端部が延びて略逆Ｕ字状を形成し、その先端にも第２係止部１９ｃを有する。
樹脂製枠体２０は、横取付片２０ｅの基部に第１係止溝２０ｃを有するとともに、室内側突条片２０ａの室内側表面の基部にも第２係止溝２０ｄを有する。
【００３７】
カバー部材１９は、係合部１９ａが室内側突条片２０ａの頂部２０ｂに係合されるとともに、第１係止部１９ｂ、第２係止部１９ｃがそれぞれ第１係止溝２０ｃ、第２係止溝２０ｄに係止されることにより、樹脂製枠体２０に取付けられる。
【００３８】
以上説明したように、本発明におけるカバー部材の具体的形態は、各種のものがあり、本発明の趣旨を逸脱しない範囲で必要に応じて適宜のものを選択することができる。
【符号の説明】
【００３９】
１  窓枠
２  樹脂製枠体
２ａ  係止溝
３  カバー部材
３ａ  係合部
３ｂ  係止部
４  障子
５  建物躯体
６  上枠材
７  下枠材
８  左縦枠材
９  右縦枠材
１０  縦取付片
１１  横取付片
１２  室内側突条片
１２ａ  頂部
１３  係止溝
１４  カバー部材
１４ａ  係合部
１４ｂ  係止部
１４ｃ  額縁取付片
１５  カバー部材
１５ａ  係合部
１５ｂ  係止部
１５ｃ  横取付片カバー部
１６  カバー部材
１６ａ  係合部
１６ｂ  係止部
１６ｃ  額縁取付片
１６ｄ  横取付片カバー部
１７  カバー部材
１７ａ  係合部
１７ｂ  波状係合部
１８  樹脂製枠体
１８ａ  室内側突条片
１８ｂ  頂部
１８ｃ  波状係止溝
１８ｄ  横取付片
１９  カバー部材
１９ａ  係合部
１９ｂ  第１係止部
１９ｃ  第２係止部
２０  樹脂製枠体
２０ａ  室内側突条片
２０ｂ  頂部
２０ｃ  第１係止溝
２０ｄ  第２係止溝
２０ｅ  横取付片
Ａ  室内
Ｂ  室外
【図１】
2013087565.tif 000003
【図２】
2013087565.tif 000004
【図３】
2013087565.tif 000005
【図４】
2013087565.tif 000006
【図５】
2013087565.tif 000007
【図６】
2013087565.tif 000008
【図７】
2013087565.tif 000009
【図８】
2013087565.tif 000010
【図９】
2013087565.tif 000011